(57)【要約】      （修正有）【課題】靴底上に敷く、靴内部の不快な臭いを芳香成分及び消臭成分を用いて防ぐ靴用中敷きにおいて、芳香成分及び消臭成分を安価に交換できるようにした靴用中敷きを提供する。【解決手段】靴用中敷き本体は、中敷きベースシート３と、該中敷きベースシート３の上面部に積載するエキャップ載置シート２とが着脱可能に嵌合されるように構成し、該エアキャップ載置シート２は、載置シート４の上面部に芳香成分及び消臭成分を放出可能に包含するために、フィルムで形成された気室に芳香成分及び消臭成分等の成分が封入された成分封入エアキャップシート５を貼着して構成する。【選択図】図３
0003153723.tif 000002
【実用新案登録請求の範囲】
【請求項１】
履物の中敷きにおいて、フィルムで形成された気室に芳香成分及び消臭成分が封入された空気緩衝シート（以下、成分封入エアキャップシートと称す）を用いていることを特徴とする中敷き。
【請求項２】
靴内部の靴底上に敷く靴用中敷きにおいて、略足形に形成された靴用中敷き本体は、中敷きベースシートと、前記中敷きベースシート上面部にエアキャップ載置シートを積載して成り、前記エアキャプ載置シートは、載置シート上面部に前記成分封入エアキャップシートを貼着して積載されていることを特徴とする、請求項１に記載の中敷き。
【請求項３】
前記靴用中敷き本体は、前記中敷きベースシートと、前記エアキャップ載置シートとが係合具を介して、着脱可能に形成されていることを特徴とする、請求項１または２に記載の中敷き。
【請求項４】
前記中敷きベースシートの上面部に前記エアキャップ載置シートが、少なくとも一部に積載されていることを特徴とする、請求項１、２または３に記載の中敷き。
【考案の詳細な説明】
【技術分野】
【０００１】
本考案は、靴内部の不快な臭いを防ぐ、靴底上に敷く中敷き。
【背景技術】
【０００２】
従来、靴用中敷きにおいて、靴内部の不快な臭いを芳香成分及び脱臭成分を用いて防ぐには、靴用中敷き本体に含浸、あるいは塗着させる方法がよく知られている。芳香成分を保持する手段として、フィルムで形成された気室に芳香成分を封入した空気緩衝シートが特許文献１により提案されている。また、空気緩衝シートを使用した靴用中敷きが特許文献２に提案されている。
【先行技術文献】
【特許文献】
【０００３】
【特許文献１】特開平０７−１７８８４８号公報
【特許文献２】実開平０１−０８９００２号公報
【考案の概要】
【考案が解決しようとする課題】
【０００４】
従来の靴用中敷き本体に芳香成分及び消臭成分を含浸、あるいは塗着させる方法では、それぞれの成分は定められたものであり、それらだけを交換することは難しい。また、それぞれの成分は長時間にわたり効果を維持することは不可能であり、新しく購入する必要があった。このことは不経済であり、環境問題が叫ばれている今日においては非常に考えさせられるものである。本考案は芳香成分及び消臭成分を安価に交換できようにすることを課題とする。
【課題を解決するための手段】
【０００５】
そこで、画期的に提案されている、芳香成分及び消臭成分を放出可能に包含するために、フィルムで形成された気室に芳香成分及び消臭成分が封入された空気緩衝シート（以下、成分封入エアキャップシートと称す）と、空気緩衝シート（以下、エアキャップシートと称す）による優れた靴用中敷きを用いて課題を解決する。
【０００６】
そのために、靴内部の靴底上に敷く略足形に形成された靴用中敷き本体は、中敷きベースシートと、該中敷きベースシート上面部に積載するエアキャップ載置シートとが着脱可能に嵌合されている。また該エアキャップ載置シートは、載置シート上面部に成分封入エアキャップシートを貼着して構成されている。
【考案の効果】
【０００７】
安価なエアキャップシートを用いて形成された靴用中敷きは、外出先で靴内部の不快な臭いが気になった際には、気室を押圧し、封入された芳香成分及び消臭成分を簡単に放出できる。また、それぞれの成分を使い切った後、エアキャップ載置シートのみ新しく購入すれば良く、このことは環境にも優しい。さらに、空気緩衝材であるエアキャップシートは履き心地も非常に快適である。
【図面の簡単な説明】
【０００８】
【図１】第１実施の形態を示す、靴用中敷き本体の斜視図
【図２】同じく、靴用中敷き本体のエアキャップ部を示す拡大断面図
【図３】同じく、中敷きベースシートとエアキャップ載置シートの嵌合状態を示す斜視図
【図４】同じく、中敷きベースシートとエアキャップ載置シートの分離斜視図
【図５】同じく、突起部の拡大斜視図
【図６】同じく、突起部と貫通孔の嵌合状態を示す拡大断面図
【図７】第２実施の形態を示す、突起部材と貫通孔の分離拡大斜視図
【図８】第３実施の形態による靴用中敷き本体の正面図
【考案を実施するための形態】
【０００９】
以下、本考案の第１実施の形態について図を参照して説明する。図１及び図２に示すように、柔軟な合成樹脂から成る靴用中敷き本体１は、略足形に形成された、抗菌及び通気性を有する中敷きベースシート３と該中敷きベースシート３の上面部に、同じく略足形に形成されたエアキャップ載置シート２の平面部が着脱可能に嵌合されている。該エアキャップ載置シート２は、載置シート４上面部に、フィルムで形成された気室に芳香成分及び消臭成分等の成分１１が封入された部分（以下、エアキャップ６と称す）を複数有する成分封入エアキャップシート５が強力接着剤７を介して貼着されており、該載置シート４下面部(中敷きベースシートの上面部と接する面)には複数回、着脱可能な軟接着剤８が粘着されている。
【００１０】
図３に示すように、一旦嵌合された中敷きベースシート３とエアキャップ載置シート２を分離するために、載置シート４の周縁部にはつまみ部４aが設けられている。また、エアキャップ載置シート２は中敷きベースシート３より一回り小さい外観形状に形成されている。
【００１１】
図４に示すように、中敷きベースシート３には貫通孔３ｂが複数設けられており、さらに中敷きベースシート３の上面部にはエアキャップ載置シート２と着脱可能に嵌合するための突起部３aが立設して複数設けられている。また、エアキャップ載置シート２には、前記貫通孔３ｂと、前記突起部３aとに対応する位置に、嵌合が可能であり、かつ靴用中敷き本体１の貫通孔となる、貫通孔２aが複数設けられている。中敷きベースシート３とエアキャップ載置シート２が嵌合された状態で、貫通孔３ｂと対応する位置に設けられた、貫通孔２aが靴用中敷き本体１の貫通孔となることで、靴内部での通気経路となり、靴内部での足の蒸れが軽減される。
【００１２】
図５及び図６に示すように、軟質な合成樹脂から成る上記突起部３aの先端(中敷きベースシート３とエアキャップ載置シート２が嵌合された状態で、貫通孔２aより突出する部分)が緩やかにテーパー面を有する円錐状であって、先端以外の部分は先端の最大径より若干小さい円柱状に形成されており、軟質な合成樹脂から成る貫通孔２aの径は、突起部３aの最大径以下であって、円柱状の径より大きく形成されている。よって、各貫通孔２aに対応する各突起部３aを圧挿することで、中敷きベースシート３とエアキャップ載置シート２は嵌合される。
【００１３】
次に、以下本考案の第２実施の形態について、図７を参照して説明する。基本構成においては、第１実施の形態と同様であるが、中敷きベースシート３とエアキャップ載置シート２の嵌合方法は、中敷きベースシート３とエアキャップ載置シート２が嵌合する位置に、中敷きベースシート３の下面部からエアキャップ載置シート２の上面部まで複数の貫通孔１aを設け、靴用中敷き本体１の上面部あるいは下面部、いずれかの方向（第２実施の形態では上面部）より別に用意された、先端(中敷きベースシート３とエアキャップ載置シート２が嵌合された状態で、貫通孔１aより突出する部分)が緩やかにテーパー面を有する円錐状に形成し、他端には、先端の最大径より若干大きい円盤状の係止用押し込み部９ａを有し、先端と他端以外の部分は先端の最大径より若干小さい円柱状に形成された突起部材９を、該突起部材９の最大径以下であって、円柱状の径より大きく形成された貫通孔１aに圧挿する。
【００１４】
さらに、以下本考案の第３実施の形態について、図８を参照して説明する。基本構成においては第１実施の形態及び第２実施の形態と同様であるが、中敷きベースシート３の上面部に積載されるエアキャップ載置シート２は、二つに分割されている。この場合、分割された各エアキャップ載置シート２には、つまみ部４a及び複数の嵌合部１０をそれぞれ設けている。ただし、本実施の形態では二つに分割されているが、三つ以上に分割しても良く、一部分だけに積載してもかまわない。
【００１５】
以上実施の形態を図面により説明してきたが、具体的な基本構成はこれら実施の形態に限られるものではない。本考案の要旨を逸脱しない範囲における変更や追加があっても本考案に含まれる。
【００１６】
例えば、中敷きベースシート３とエアキャップ載置シート２の嵌合方法は第１、第２及び第３実施の形態に限定されるものではなく、例えばホック、あるいは面ファスナーを用いて合わせても良い。
【００１７】
本考案の靴用中敷き本体１の色彩は茶色でも青色でも何色でも自由であり、エアキャップ６に封入される成分１１によって色別しても良く、各エアキャップ６に封入される成分１１は同一に限られるものではない。
【符号の説明】
【００１８】
１    靴用中敷き本体
１a   貫通孔
２    エアキャップ載置シート
２a   貫通孔
３    中敷きベースシート
３a   突起部
３b   貫通孔
４    載置シート
４a   つまみ部
５    成分封入エアキャップシート
６    エアキャップ
７    強力接着剤
８    軟接着剤
９    突起部材
９a   係止用押し込み部
１０    嵌合部
１１    成分
【図１】
0003153723.tif 000003
【図２】
0003153723.tif 000004
【図３】
0003153723.tif 000005
【図４】
0003153723.tif 000006
【図５】
0003153723.tif 000007
【図６】
0003153723.tif 000008
【図７】
0003153723.tif 000009
【図８】
0003153723.tif 000010